(57)【特許請求の範囲】
【請求項１】
第一の状態および第二の状態を構成する筐体と、
着信があった場合に着信音を出力し着信を通知する着信音出力手段と、
前記筐体が第一の状態を有するときに前記着信音出力手段により着信音が出力された場合、前記筐体の第一の状態から第二の状態へ変化したことを検出する検出手段と、
前記検出手段により前記変化が検出された場合、前記着信音を消音する着信音消音手段と
を備え、
前記着信音出力手段による着信音の出力時においては、着信音量の調整を受け付け、前記着信音消音手段による前記着信音の消音時においては、受話音量の調整を受け付ける音量調整受付手段をさらに備えたことを特徴とする通信端末装置。
【請求項２】
前記着信音消音手段により着信音が消音された場合、振動により着信を通知する振動発生
手段をさらに備えたことを特徴とする請求項１記載の通信端末装置。
【請求項３】
前記振動発生手段は、通常時に発生する振動よりも弱い振動により通知を行うことを特徴
とする請求項２記載の通信端末装置。
【請求項４】
前記筐体は第一の筐体および第二の筐体で構成され、
前記筐体の前記第一の状態は、前記第一の筐体と第二の筐体とが閉じた状態であり、
前記筐体の前記第二の状態は、前記第一の筐体と第二の筐体とが開いた状態であること
を特徴とする請求項１記載の通信端末装置。
【請求項５】
前記筐体の第一の状態は、前記筐体の加速度の値が所定値以下である状態であり、前記筐
体の第二の状態は、前記筐体の加速度の値が前記所定値より大きい状態であることを特徴
とする請求項１記載の通信端末装置。
【請求項６】
音声着信があった場合に着信音を出力し着信を通知する着信音出力手段と、
前記着信音出力手段により出力された着信音を消音する着信音消音手段と、
前記着信音出力手段による着信音の出力時においては、着信音量の調整を受け付け、前記着信音消音手段による前記着信音の消音時においては、受話音量の調整を受け付ける音量調整受付手段を備えたことを特徴とする通信端末装置。
【発明の詳細な説明】
【技術分野】
【０００１】
本発明は、通信端末装置に係り、特に音声通話着信などを好適に通知する通信端末装置に関する。
【背景技術】
【０００２】
携帯電話機などの通信機能を備えた通信端末装置には、音声通話や電子メールなどの着信時においては、着信音をスピーカより出力してユーザに通知を行う。例えば、音声通話着信時の着信音は、ユーザによる応答キーの押下など所定の操作が行われるまでは継続して出力される。
【０００３】
従来、電車内や図書館などの静粛を保つことが求められるような場所において、意図しない着信音が出力された場合に、所定の操作を行うことにより着信音を停止またはその音量を低下させることができる通信端末装置が知られている（例えば、特許文献１参照）。この通信端末装置は、着信音が出力された場合であっても、所定の操作キーを押下することによって着信音を停止させるなどして、周囲の人に与える迷惑を格段的に低下させることができるものであった。
【特許文献１】特開平８−１７２４６８号公報
【発明の開示】
【発明が解決しようとする課題】
【０００４】
特許文献１に示された通信端末装置は、操作キーの押下により着信音を停止またはその音量を低下させることができるものであった。しかし、意図しない着信音の出力時においては、ユーザは慌てることが想定され、余裕を持って所定の操作を行うことが困難な状態であるといえる。ましてや、複数設けられた操作キーのうち、着信音の停止などが割り当てられた一の操作キーを正確に押下することは困難である。
【０００５】
また、着信音の停止などが割り当てられた所定の操作キーとは異なる操作キーを誤って押下した場合には、着信を切断や拒否してしまったり、逆に意に反して着信に応答してしまうという事態が発生しうる。
【０００６】
本発明はこのような事情を考慮してなされたもので、容易な操作で意図しない着信音を消音させる通信端末装置を提供することを目的とする。
【課題を解決するための手段】
【０００７】
本発明に係る通信端末装置は、上述した課題を解決するために、第一の状態および第二の状態を構成する筐体と、着信があった場合に着信音を出力し着信を通知する着信音出力手段と、前記筐体が第一の状態を有するときに前記着信音出力手段により着信音が出力された場合、前記筐体が第一の状態から第二の状態へ変化したことを検出する検出手段と、前記検出手段により前記変化が検出された場合、前記着信音を消音する着信音消音手段とを備えたことを特徴とする。
【０００８】
また、本発明に係る通信端末装置は、着信があった場合に着信音を出力し着信を通知する着信音出力手段と、前記着信音出力手段により出力された着信音を消音する着信音消音手段と、前記着信音消音手段により着信音が消音された場合、振動により着信を通知する振動発生手段を備えたことを特徴とする。
【０００９】
さらに、本発明に係る通信端末装置は、音声着信があった場合に着信音を出力し着信を通知する着信音出力手段と、前記着信音出力手段により出力された着信音を消音する着信音消音手段と、前記着信音出力手段による着信音の出力時においては、着信音量の調整を受け付け、前記着信音消音手段による前記着信音の消音時においては、受話音量の調整を受け付ける音量調整受付手段を備えたことを特徴とする。
【発明の効果】
【００１０】
本発明に係る通信端末装置は、容易な操作で意図しない着信音を消音させることができる。
【発明を実施するための最良の形態】
【００１１】
本発明に係る通信端末装置の実施形態を添付図に基づいて説明する。
【００１２】
図１は、本発明に係る通信端末装置の一例である折りたたみ式の携帯電話機の外観の構成を示す図である。図１（Ａ）は、携帯電話機１の第一の筐体１２と第二の筐体１３とが約１８０度に開いた状態のときの正面から見た外観の構成を示しており、図１（Ｂ）は、図１（Ａ）に示す携帯電話機１の側面から見た外観の構成を示す。また、図１に示す第一の筐体１２と第二の筐体１３とが開いた状態で構成された携帯電話機１の状態を、第二の状態とする。
【００１３】
図１（Ａ）および（Ｂ）に示されるように、携帯電話機１は、中央のヒンジ部１１を境に第一の筐体１２と第二の筐体１３とがヒンジ結合されており、ヒンジ部１１を介して矢印Ｘ方向に折り畳み可能に形成される。携帯電話機１の内部の所定の位置には、送受信用のアンテナが設けられており、内蔵されたアンテナを介して基地局（図示せず）との間で電波を送受信する。
【００１４】
第一の筐体１２には、その表面に操作キー１４が設けられる。操作キー１４は、十字キー１５、確定キー１６、文字入力キーなどを備える。
【００１５】
第一の筐体１２の上部には、十字キー１５と確定キー１６が設けられる。十字キー１５は、上下左右方向の四つのキーを備えており、上下左右方向に操作することによりメインディスプレイ２１に表示されたカーソルを上下左右方向に移動させることができる。具体的には、第二の筐体１３に設けられたメインディスプレイ２１に表示された文字入力画面におけるカーソル位置、電話帳リストや電子メールのスクロール動作、簡易ホームページのページ捲り動作および画像の送り動作などの種々の動作を実行する。本実施形態においては、十字キー１５の上方向および下方向の上キー１５ａおよび下キー１５ｂは、スピーカ２０（図３参照）より出力される着信音の着信音量の調整、および音声通話時にレシーバ２２より出力される音声の受話音量の調整を受け付ける音量調整受付手段として機能する。
【００１６】
また、確定キー１６は、押下に伴い種々の機能を確定することができる。例えば、ユーザによる十字キー１５の操作に応じてメインディスプレイ２１に表示された電話帳リストの複数の電話番号の中から所望の電話番号が選択され、確定キー１６が第一の筐体１２の内部方向に押下されると、選択された電話番号に対して発呼処理を行う。
【００１７】
第一の筐体１２には、携帯電話機１の操作を行うサイドキー１８が設けられる。サイドキー１８は、携帯電話機１が開いた状態および閉じた状態のときに第一の筐体１２の内部方向に押下されることによって実行される所定の処理がそれぞれ割り当てられる。
【００１８】
第一の筐体１２には、操作キー１４の下部にマイクロフォン１９が設けられており、マイクロフォン１９によって通話時のユーザの音声を集音する。
【００１９】
なお、第一の筐体１２は、背面側に図示しないバッテリパックが挿着されており、終話・電源キーがオン状態になると、バッテリパックから各回路部に対して電力が供給されて動作可能な状態に起動する。
【００２０】
一方、第二の筐体１３には、その正面にメインディスプレイ２１が設けられる。メインディスプレイ２１は、ＬＣＤ（Ｌｉｑｕｉｄ  Ｃｒｙｓｔａｌ  Ｄｉｓｐｌａｙ）、有機ＥＬディスプレイ（ＥｌｅｃｔｒｏＬｕｍｉｎｅｓｃｅｎｃｅ  Ｄｉｓｐｌａｙ）、無機ＥＬディスプレイ（ｉｎｏｒｇａｎｉｃ  ｅｌｅｃｔｒｏＬｕｍｉｎｅｓｃｅｎｃｅ  Ｄｉｓｐｌａｙ）、ＳＥＤ（Ｓｕｒｆａｃｅ−ｃｏｎｄｕｃｔｉｏｎ  Ｅｌｅｃｔｒｏｎ−ｅｍｉｔｔｅｒ  Ｄｉｓｐｌａｙ）などにより構成されるディスプレイである。
【００２１】
メインディスプレイ２１には、電波の受信状態、電池残量、電話帳として登録されている相手先名や電話番号および送信履歴などの他、電子メールの内容、簡易ホームページ、外部のコンテンツサーバ（図示せず）より受信したコンテンツなどが表示される。
【００２２】
メインディスプレイ２１の上部の所定の位置にはレシーバ（受話器）２２が設けられており、これにより、ユーザは音声通話することが可能である。なお、携帯電話機１の所定の位置には、レシーバ２２以外の音声出力部としてのスピーカ２０も設けられる。
【００２３】
第一の筐体１２と第二の筐体１３の内部の所定の位置には、携帯電話機１の筐体の状態を検出するための磁気センサ２３ａ、２３ｂ、２３ｃ、および２３ｄ（磁気センサ２３）が設けられる。
【００２４】
図２は、本発明に係る携帯電話機の一例である折りたたみ式の携帯電話機の他の外観の構成を示す図である。図２（Ａ）は、携帯電話機１が閉じた状態のときの正面から見た外観の構成を示しており、図２（Ｂ）は、図２（Ａ）に示す携帯電話機１の側面から見た外観の構成を示す。図２の携帯電話機１は、図１の携帯電話機１の状態から矢印Ｘ方向に回動させた閉じた状態である。また、図２に示す第一の筐体１２と第二の筐体１３とが閉じた状態で構成された携帯電話機１の状態を、第一の状態とする。
【００２５】
第二の筐体１３には、例えばＬＣＤにより構成されるサブディスプレイ２４が設けられており、現在のアンテナの感度のレベルを示すアンテナピクト、携帯電話機１の現在の電池残量を示す電池ピクト、現在の時刻などが表示される。
【００２６】
図３は、本実施形態における携帯電話機の内部の構成を示す図である。
【００２７】
携帯電話機１は、主制御部３０、電源回路部３１、入力制御部３２、表示制御部３３、記憶部３４、音声制御部３５、通信制御部３６、磁気センサ２３およびバイブレータ３８がバスによって相互に通信可能に接続されて構成されている。
【００２８】
主制御部３０は、ＣＰＵ（Ｃｅｎｔｒａｌ  Ｐｒｏｃｅｓｓｉｎｇ  Ｕｎｉｔ）を具備する。ＣＰＵは種々の制御信号を生成し各部に供給することにより携帯電話機１を統括的に制御する。ＣＰＵは、例えば操作キー１４などから受け付けた入力に対する入力制御処理や、その他の様々な演算処理や制御処理などを行う。
【００２９】
電源回路部３１は、例えばユーザによる操作キー１４から受け付けた入力に基づいて電源のＯＮ／ＯＦＦ状態を切り替え、電源がＯＮ状態の場合に電力供給源（バッテリなど）から各部に対して電力を供給して、携帯電話機１を動作可能にする。
【００３０】
入力制御部３２は操作キー１４やサイドキー１８に対する入力インタフェースを備える。この入力制御部３２は、操作キー１４やサイドキー１８の押下を検出すると、その押下された操作キー１４やサイドキー１８を示す信号を生成して主制御部３０に伝送する。
【００３１】
表示制御部３３はメインディスプレイ２１やサブディスプレイ２４に対する表示インタフェースを備え、主制御部３０の制御に基づいて、文書や画像などを含んだ表示情報をメインディスプレイ２１やサブディスプレイ２４に表示する。
【００３２】
記憶部３４は、主制御部３０が行う処理の処理プログラムや処理に必要なデータなどを格納するＲＯＭ（Ｒｅａｄ  Ｏｎｌｙ  Ｍｅｍｏｒｙ）やハードディスク、不揮発性メモリ、主制御部３０が処理を行う際に使用されるデータを一時的に記憶するＲＡＭ（Ｒａｎｄｏｍ  Ａｃｃｅｓｓ  Ｍｅｍｏｒｙ）などから構成される。記憶部３４は、主制御部３０のＣＰＵにより実行される電子メール機能などの種々のアプリケーションや種々のデータ群を格納している。
【００３３】
音声制御部３５は、主制御部３０の制御に基づいて、マイクロフォン１９で集音された音声からアナログ音声信号を生成し、このアナログ音声信号をデジタル音声信号に変換する。また音声制御部３５は、デジタル音声信号を取得すると、主制御部３０の制御に基づいてこのデジタル音声信号をアナログ音声信号に変換し、レシーバ２２から音声として出力する。また、音声制御部３５は、スピーカ２０より出力される音声や音の出力を制御する。本実施形態においては、音声制御部３５は、着信音などの通知音をスピーカ２０より出力し着信などを通知する着信音出力手段、および着信音などの通知音を消音する着信音消音手段として機能する。
【００３４】
通信制御部３６は、主制御部３０の制御に基づいて、基地局（図示せず）からアンテナ３７を介して受信した受信信号をスペクトラム逆拡散処理してデータを復元する。このデータは、主制御部３０の指示により、音声制御部３５に伝送されてレシーバ２２から出力されたり、表示制御部３３に伝送されてメインディスプレイ２１に表示されたり、または記憶部３４に記録されたりする。また通信制御部３６は、主制御部３０の制御に基づいて、マイクロフォン１９で集音された音声データや操作キー１４を介して入力されたデータや記憶部３４に記憶されたデータを取得すると、これらのデータに対してスペクトラム拡散処理を行い、基地局に対してアンテナ３７を介して送信する。
【００３５】
磁気センサ２３は、携帯電話機１の状態を検出し、主制御部３０に供給する。具体的には、携帯電話機１の筐体が構成している状態が開いた状態であるか閉じた状態であるかを検出する。本実施形態においては、磁気センサ２３は、携帯電話機１の第一の筐体１２と第二の筐体１３とが閉じた状態から開いた状態へ変化したことを検出する検出手段として機能する。
【００３６】
バイブレータ３８は、主制御部３０による制御に基づき、振動を発生させる。本実施形態においては、着信音が消音された場合に振動により着信を通知する振動発生手段として機能する。
【００３７】
次に、本実施形態における携帯電話機１により実行される着信音制御処理について説明する。この着信音制御処理は、携帯電話機１に対して音声通話の着信があった場合に、主制御部３０による制御に基づき開始される。
【００３８】
図４は、本実施形態における携帯電話機により実行される着信音制御処理を説明するフローチャートである。
【００３９】
ステップＳ１において、主制御部３０は、音声制御部３５に対して着信音の出力を開始させる。音声制御部３５は、スピーカ２０より所定の着信音の出力を開始する。ユーザは、着信音が出力されたことにより、着信があることを認識する。
【００４０】
ステップＳ２において、主制御部３０は、所定の操作キー１４に対し、スピーカ２０より出力された着信音の音量調整の受付を割り当てる。主制御部３０は、例えば十字キー１５の上キー１５ａに着信音量を大きくする処理の受付を割り当て、下キー１５ｂには着信音量を小さくする処理の受付を割り当てる。また、主制御部３０は、着信音の出力中に上キー１５ａまたは下キー１５ｂが押下された場合には、音声制御部３５に対し、受け付けた着信音の音量調整処理を実行させる。
【００４１】
ステップＳ３において、主制御部３０は、携帯電話機１の筐体が閉じた状態であるか否かの判定を行う。主制御部３０は、磁気センサ２３により検出された携帯電話機１の状態に基づき判定を行う。主制御部３０は、磁気センサ２３により検出された携帯電話機１の状態が開いた状態であると判定した場合、着信音制御処理を終了する。
【００４２】
一方、主制御部３０は、携帯電話機１の筐体が閉じた状態であると判定した場合、ステップＳ４において携帯電話機１の状態が閉じた状態から開いた状態に変化したか否かの判定を行う。主制御部３０は、磁気センサ２３により検出された携帯電話機１の状態に基づき判定を行う。主制御部３０は、磁気センサ２３より検出された携帯電話機１の状態が、依然閉じた状態であると判定した場合、開いた状態に変化するまで処理は待機する。
【００４３】
一方、主制御部３０は、磁気センサ２３より検出された携帯電話機１の状態が、閉じた状態から開いた状態へ変化したと判定した場合、ステップＳ５において、音声制御部３５に対して着信音を消音させる。音声制御部３５は、スピーカ２０より出力されていた着信音を消音する。
【００４４】
ステップＳ６において、主制御部３０は、バイブレータ３８に対し振動を開始させる。すなわち、主制御部３０は、着信音に代わり振動によって着信があることをユーザに対して通知する。このとき、主制御部３０は、通常時に発生する振動よりも弱い振動を開始させることで、必要以上の振動音を発生させないようにする。
【００４５】
ステップＳ７において、主制御部３０は、着信音調整割当ステップＳ２において着信音の音量調整の受付が割り当てられた操作キー１４に対して、通話開始後におけるレシーバ２２より出力される受話音量の調整の受付を、着信音の音量調整の受付に代えて割り当てる。主制御部３０は、例えば十字キー１５の上キー１５ａに受話音量を大きくする処理の受付を割り当て、下キー１５ｂには受話音量を小さくする処理の受付を割り当てる。また、主制御部３０は、着信時に上キー１５ａまたは下キー１５ｂが押下された場合には、音声制御部３５に対し、受け付けた通話開始後の受話音量の音量調整処理を実行させる。
【００４６】
ステップＳ８において、主制御部３０は、通話が開始されたか否かの判定を行う。主制御部３０は、操作キー１４およびサイドキー１８のうち、通話の開始処理の受け付けが割り当てられたキーが押下されたか否かにより判定される。主制御部３０は、通話がいまだ開始されていないと判定した場合、開始されるまで処理は待機する。一方、主制御部３０は、通話が開始されたと判定した場合、バイブレータ３８に対し振動を停止させ、各部に通話処理を開始させる。以上で、着信音制御処理は終了する。
【００４７】
この携帯電話機１によれば、電車内や図書館などの静粛を保つことが求められるような場所において、意図しない着信音が出力された場合であっても、簡易な操作によって速やかに着信音を消音させることができる。すなわち、意図しない着信音の出力時においては、ユーザは慌てることが想定され、余裕を持って所定の操作を行うことが困難な状態であるといえる。本実施形態における携帯電話機１は、そのような状態であっても携帯電話機１を閉じた状態から開いた状態に変化させるという簡単な動作によって着信音を消音させることができる。
【００４８】
また、着信音が消音された後は、ユーザは着信に気づいている状態であるため、通常時に発生する振動よりも弱い振動を発生させることにより、必要以上の振動音を発生させることなく、周囲に迷惑をかけることがない。
【００４９】
さらに、簡単な動作によって着信音を消音させた後は、着信音の出力により周囲に対して迷惑を与えることはないため、ユーザは余裕を持って発信者の確認を行ったり、応答するか否かの判断を行ったりすることができる。
【００５０】
さらにまた、着信音の消音後は着信音の音量調整の受付が割り当てられたキーが不要となるため、代わって通話開始後の受話音量の調整の受付を割り当てることができる。これにより、ユーザは周囲の環境および通話相手に応じて事前に受話音量の調整を行うことができる。例えば、発信者の声量があらかじめ大きいことがわかっており、周囲への通話内容の漏れを配慮したい場合には、通話開始前に受話音量の調整を行うことができる点で有効である。
【００５１】
なお、本実施形態においては、音声通話の着信音制御処理を適用して説明したが、これに限らず、意図しないメールの受信音やアラーム音が出力された場合に、携帯電話機１の簡単な状態変化に伴い受信音などを消音させるように構成してもよい。
【００５２】
また、本実施形態においては折りたたみ式の携帯電話機１に適用した例を説明したが、これに限らずスライド式の携帯電話機であっても、ストレート式の携帯電話機であってもよい。
【００５３】
例えばスライド式の携帯電話機に本発明を適用した場合には、携帯電話機を構成する第一の筐体と第二の筐体がほぼ重なり合う状態を閉じた状態、伸長された状態を開いた状態に適用することができる。
【００５４】
また、ストレート式の携帯電話機に本発明を適用した場合には、磁気センサ２３に代えて加速度センサを設けることにより実現することができる。このとき、携帯電話機の第一の状態を携帯電話機の加速度の値が所定値以下である状態、第二の状態を携帯電話機の加速度の値が所定値より大きい状態とする。主制御部３０は着信音の出力時において、ユーザにより携帯電話機に対して所定値以上の加速度が与えられ、加速度センサが第一の状態から第二の状態に変化したことを検出した場合に着信音を消音させる。
【００５５】
さらに、本実施形態においては、本発明に係る通信端末装置を携帯電話機１に適用して説明したが、ＰＤＡ（Ｐｅｒｓｏｎａｌ  Ｄｉｇｉｔａｌ  Ａｓｓｉｓｔａｎｔ）、携帯型ゲーム機、携帯型音楽再生機、携帯型動画再生機、その他の着信音などの音が出力される機能を備えた通信端末装置にも適用することができる。
【００５６】
さらにまた、本実施形態において説明した一連の処理は、ソフトウェアにより実行させることもできるが、ハードウェアにより実行させることもできる。
【００５７】
また、本実施形態では、フローチャートのステップは記載された順序に沿って時系列的に行われる処理の例を示したが、必ずしも時系列的に処理されなくとも、並列的あるいは個別実行される処理をも含むものである。
【図面の簡単な説明】
【００５８】
【図１】本発明に係る通信端末装置の一例である折りたたみ式の携帯電話機の外観の構成を示す図。
【図２】本発明に係る携帯電話機の一例である折りたたみ式の携帯電話機の他の外観の構成を示す図。
【図３】本実施形態における携帯電話機の内部の構成を示す図。
【図４】本実施形態における携帯電話機により実行される着信音制御処理を説明するフローチャート。
【符号の説明】
【００５９】
１  携帯電話機
１１  ヒンジ部
１２  第一の筐体
１３  第二の筐体
１４  操作キー
１５ａ  上キー
１５ｂ  下キー
１８  サイドキー
１９  マイクロフォン
２０  スピーカ
２１  メインディスプレイ
２２  レシーバ
２３  磁気センサ
２４  サブディスプレイ
３０  主制御部
３１  電源回路部
３２  入力制御部
３３  表示制御部
３４  記憶部
３５  音声制御部
３６  通信制御部
３７  アンテナ
３８  バイブレータ
【図１】
0005028652.tif 000002
【図２】
0005028652.tif 000003
【図３】
0005028652.tif 000004
【図４】
0005028652.tif 000005